(57)【特許請求の範囲】
【請求項１】
鍵盤が載置される筬と、
該筬からの離間距離が可変である突起部と、
前記筬からの離間距離が変更されることにより該突起部が当接可能な距離に配置された口棒、
とを有することを特徴とする鍵盤楽器。
【請求項２】
前記突起部は、木ねじで構成されていることを特徴とする請求項１に記載の鍵盤楽器。
【請求項３】
鍵盤が載置される筬に対して出入自在な木ねじを取り付け、
該木ねじを前記筬に出入させることにより口棒に当接するように調整し、
以て、前記口棒の変形を防止することを特徴とする鍵盤楽器の口棒の変形防止方法。
【発明の詳細な説明】
【０００１】
【発明の属する技術分野】
本発明は、例えばアコースティックピアノ、チェンバロ、オルガン、電子ピアノ、電子オルガンといった口棒を有する鍵盤楽器に関し、特に鍵盤楽器の口棒の変形を防止する技術に関する。
【０００２】
【従来の技術】
従来、鍵盤楽器の１つであるグランドピアノの鍵盤部分は、図３の側面図に部分的に示すように、棚板１０、口棒２０、筬３０及び鍵盤４０から構成されている。棚板１０は筬３０及び鍵盤４０を載せる土台となる板である。この棚板１０の演奏者側となる端部には、口棒２０を取り付けるための数個のダボ穴１１が設けられている。
【０００３】
この棚板１０の上には筬３０が取り付けられており、鍵盤４０を支持するようになっている。この筬３０の一端側の所定部位にはフロントピン３１が打ち込まれている。鍵盤４０は、筬３０の他の部位に設けられた図示しないバランスピンを支点に回動する。この際、鍵盤４０の裏面側に設けられた穴（図示しない）に上記フロントピン３１が挿脱され、鍵盤４０の左右の振れが防止されるようになっている。
【０００４】
また、口棒２０はピアノの外装の一部を形成するものである。この口棒２０には上記ダボ穴に対応する数のダボ２１が埋め込まれており、このダボ２１が棚板１０に設けられたダボ穴１１に挿入されることにより、口棒２０が棚板１０に固定されるようになっている。この状態で、鍵盤４０と口棒２０との間には２〜３ｍｍ程度のクリアランスが形成されるようになっている。
【０００５】
【発明が解決しようとする課題】
ところで、上記口棒２０は、ピアノの間口の長さを有する細長い棒のために元々反りやすい上に、ピアノの外観となる外側面だけに塗装が施されているので、温度変化により鍵盤４０の方向に反りが発生する。また、梱包時の締め付け等によっても反りが発生する。この口棒２０が鍵盤４０の方向に反ると、鍵盤４０の端部と口棒２０とが接触するスティックという現象が発生し、鍵盤４０を操作できない状態になってしまう。この問題を解決するために、従来のピアノの口棒２０には、図３に示すように、Ｌ金具２２が取り付けられている。
【０００６】
このＬ金具２２を取り付けるためには、口棒２０をＬ金具２２に適合するように加工し、更に、Ｌ金具２２を口棒２０に固着するという作業が必要である。これがピアノ全体のコストアップに繋がると共に、ピアノの重量が増加する原因となっている。
【０００７】
本発明は、このような問題を解消するためになされたものであり、簡単な構造であるにも拘わらず口棒の変形を防止できるようにした鍵盤楽器及び鍵盤楽器の口棒の変形防止方法を提供することを目的とする。
【０００８】
【課題を解決するための手段】
本発明の第１の態様に係る鍵盤楽器は、上記目的を達成するために、
鍵盤が載置される筬と、
該筬からの離間距離が可変である突起部と、
前記筬からの離間距離が変更されることにより該突起部が当接可能な距離に配置された口棒、とを有するように構成されている。
【０００９】
この場合、上記突起部として木ねじを用いることができる。また、上記突起部としては、筬に固着されたナットに螺合するボルトを用いてもよい。更に、上記突起部として、上記筬と口棒との間を所定の距離に保つためにこれらの間に挿入される部材を用いてもよい。
【００１０】
また、本発明の第２の態様に係る鍵盤楽器の口棒の変形防止方法は、
鍵盤が載置される筬に対して出入自在な木ねじを取り付け、
該木ねじを前記筬に出入させることにより口棒に当接するように調整し、
以て、前記口棒の変形を防止するように構成されている。
【００１１】
本発明によれば、突起部としての木ねじを回して、その先端部が口棒に当接するように調節することにより、筬と口棒との間に常に一定のクリアランスが存在するように設定できる。これにより、木ねじを設けるだけといった簡単な構造であるにも拘わらず口棒の変形（反り）を防止できる。
【００１２】
【発明の実施の形態】
以下、本発明の実施の形態を、図面を参照しながら詳細に説明する。なお、従来の技術の欄で説明したピアノの鍵盤部分と同一又は相当部分には同一の符号を付して説明を省略する。
【００１３】
図１は、本発明の実施の形態に係るピアノの鍵盤部分の構造を部分的に示す側面図である。この鍵盤部分は、従来の技術の欄で説明したと同様に、棚板１０、口棒７０、筬３０及び鍵盤４０から構成されている。
【００１４】
上記口棒７０には、従来の技術の欄で説明した口棒２０と異なり、Ｌ金具２２が取り付けられていない。この口棒７０には、木ねじ５０の頭が当接するので、堅い材質の木を使用することが望ましい。
【００１５】
筬３０の、口棒７０に対向する側の木口には、木ねじ５０が取り付けられている。木ねじ５０としては、例えば図２（Ａ）に示すような丸頭ビス、丸頭タッピングビス等を用いることが好ましい。また、木ねじ５０として、図２（Ｂ）に示すような、皿ビスにプラスチック製のキャップを被せたものを用いることもできる。
【００１６】
筬３０の木口と口棒７０との間には、通常３ｍｍ程度のクリアランスが確保される。ピアノの組立に際しては、木ねじ５０を筬３０の木口にねじ込み、更に左右に適宜回転させることにより該木ねじ５０の頭頂部が筬３０の木口から３ｍｍ程度突出するように調整する。その後、口棒７０に形成されたダボ２１を棚板１０に設けられたダボ穴１１に挿入することにより口棒７０を棚板１０に取り付ける。これにより、木ねじ５０の頭頂部が口棒７０に接する状態に固定される。
【００１７】
この木ねじ５０は筬３０の間口方向の略中央に１本又は複数本取り付けることが望ましい。口棒７０の反りは、その中央付近で発生することが多いからである。
【００１８】
以上の構造により、温度変化や梱包時の締め付け等に因り、口棒７０で発生する鍵盤４０側への反りを防止できる。また、従来、口棒に取り付けられていたＬ金具が不要になるので、コストダウン及び重量軽減が可能になる。更に、口棒にＬ金具を取り付けるための加工が不要になるので、ピアノの製造コストを低減できる。
【００１９】
なお、上述した実施の形態では、木ねじ５０を筬３０に取り付ける構成としたが、この木ねじ５０は口棒７０に取り付けてもよい。但し、グランドピアノの場合は、ソフトペダルの踏み込みによって筬３０が左右に移動するため、通常堅木で作られる口棒側に木ねじの頭頂部が当たるように、筬側に木ねじを取り付けたほうが好ましい。この場合、木ねじ５０の頭頂部は口棒７０と接触しながら動くので、木ねじ５０としてキャップを有する皿ビスを用いて、接触に基づく雑音を防止するように構成するのが好ましい。
【００２０】
また、筬に木ねじを取り付ける代わりに、筬にナットを埋め込み、これにボルトを螺合させるように構成してもよい。更に、筬に木ねじを取り付ける代わりに、筬に３ｍｍ程度の厚さを有する金属片、堅木片、樹脂片等を接着するように構成してもよい。
【００２１】
また、上記木ねじとしては、例えば四角とか六角の頭を有するものを用いることができる。この場合、口棒を棚板に取り付けた状態であっても、この木ねじを例えばスパナを用いて回転させることにより木ねじの突出量を調整できるので、容易に木ねじの頭頂部が口棒に当接された状態に設定できる。
【００２２】
更に、上記実施の形態はアコースティックピアノについて説明したが、これに限らず、例えばチェンバロ、オルガン、電子ピアノ、電子オルガンといった口棒を有するあらゆる鍵盤楽器に適用できる。
【００２３】
【発明の効果】
以上詳述したように、本発明によれば、簡単な構造であるにも拘わらず口棒の変形を防止できるようにした鍵盤楽器及び鍵盤楽器の口棒の変形防止方法を提供できる。
【図面の簡単な説明】
【図１】本発明の実施の形態に係るピアノの鍵盤部分の構造を部分的に示す側面図である。
【図２】図１における木ねじとして使用されるビスの例を示す図である。
【図３】従来のピアノの鍵盤部分の構造を部分的に示す側面図である。
【符号の説明】
１０    棚板
１１    ダボ穴
２１    ダボ
３０    筬
３１    フロントピン
４０    鍵盤
５０    木ねじ
７０    口棒
【図１】
0003558262.tif 000002
【図２】
0003558262.tif 000003
【図３】
0003558262.tif 000004